(57)【要約】【課題】地下街などのような照明設備のある場所に設置するのに適した避難誘導灯システムを提案すること。【解決手段】避難誘導灯システム１は、避難経路に沿って配置された複数の誘導灯３と、照明配電盤１１に設置した無線発信器４とを有し、無線発信器４は照明灯１３へ給電を行う電線ケーブル１４を通信用アンテナ線として利用して、各誘導灯３に制御信号を発信する。無線発信器４によって、電池駆動式の各誘導灯３は照明灯１３が点灯している時間、換言すると人が居る時間帯のみスタンバイ状態に切り替えられ、この状態において、照明が消え、あるいは煙が充満した場合には、各誘導灯３が発光する。誘導灯３は、光源ランプ３７としてフラッシュランプ４１と３個の白色発光ダイオードランプ５１〜５３を備えている。設置場所に制約を受けることなく低コストで設置でき、しかも、視認性の高い誘導灯を備えた避難誘導灯システムを実現できる。【選択図】      図１
2004302974.tif 000002
【特許請求の範囲】
【請求項１】
災害時の避難経路に沿って配置されている複数の誘導灯と、
前記誘導灯をオフ状態およびスタンバイ状態に切り替える無線通信器と、
前記無線通信器からの信号を発信するための無線通信用アンテナ線とを有し、
前記誘導灯は、光源ランプと、前記光源ランプに駆動電力を供給するための電池電源と、前記無線通信器からの信号を受信する受信回路と、前記誘導灯の設置場所の照度が所定値以下になったこと、および／または前記誘導灯の設置場所の煙濃度が所定値以上になったことを検知するセンサと、前記受信回路による受信信号および前記センサの検出結果に基づき前記光源ランプの発光制御を行う発光制御手段とを備えている避難誘導灯システム。
【請求項２】
請求項１において、
前記無線通信用アンテナは、前記誘導灯が設置されている場所の近傍に引き回されている照明設備、排水設備等における配電用の電線ケーブルであることを特徴とする避難誘導灯システム。
【請求項３】
請求項１または２において、
前記誘導灯が設置されている領域を照明する照明灯の点灯時間帯の間だけ、前記誘導灯がスタンバイ状態に保持されることを特徴とする避難誘導灯システム。
【請求項４】
請求項３において、
前記無線通信器は、前記照明灯に対する電力供給制御を行なう照明スイッチがオンに切り替わると、前記誘導灯をオフ状態からスタンバイ状態に切り替えるための起動信号を発信し、前記照明スイッチがオフに切り替わると、前記誘導灯をスタンバイ状態からオフ状態に切り替えるための停止信号を発信することを特徴とする避難誘導灯システム。
【請求項５】
請求項４において、
前記無線通信器は、前記照明スイッチおよび、前記照明灯に電力を供給する前記電線ケーブルの間に接続された制御回路と、前記電線ケーブルに挿入された内蔵照明スイッチとを備えており、
前記制御回路は、前記照明スイッチがオンに切り替わったことを検知すると、前記内蔵照明スイッチをオンに切り替えて前記照明灯への電力供給を開始すると共に、前記起動信号を発信させることを特徴とする避難誘導灯システム。
【請求項６】
請求項５において、
前記誘導灯は、前記起動信号を受信してオフ状態からスタンバイ状態に切り替わると、前記センサによる検知動作を開始することを特徴とする避難誘導灯システム。
【請求項７】
請求項６において、
前記スタンバイ状態において前記センサにより照度が所定値以下になったこと、および／または煙濃度が所定値以上になったことが検知されると、前記発光制御手段により前記光源ランプが発光状態に切り替わることを特徴とする避難誘導灯システム。
【請求項８】
請求項７において、
前記誘導灯は、前記光源ランプが発光状態に切り替わると、その旨を表す信号を前記無線通信器に送信する送信回路を備えており、
前記無線通信器は、前記信号を受信すると、各誘導灯が避難方向に沿って順次に発光動作を行うように、各誘導灯を遠隔制御することを特徴とする避難誘導灯システム。
【請求項９】
請求項１ないし８のうちのいずれかの項において、
前記誘導灯は、前記光源ランプから射出される可視光成分のうち、波長の短い側から所定波長領域の光成分を除去する除去手段を備えていることを特徴とする避難誘導灯システム。
【請求項１０】
請求項１ないし９のうちのいずれかの項において、
前記誘導灯の前記光源ランプは、フラッシュランプおよび白色発光ダイオードランプを備えていることを特徴とする避難誘導灯システム。
【請求項１１】
請求項１０において、
前記誘導灯の前記発光制御手段は、前記フラッシュランプと前記白色発光ダイオードランプとを交互に発光させることを特徴とする避難誘導灯システム。
【請求項１２】
請求項１ないし１１のうちのいずれかの項において、
前記電池電源は、太陽電池、一次電池、二次電池のうち、少なくとも一つを含むことを特徴とする避難誘導灯システム。
【請求項１３】
請求項１２において、
前記電池電源は一次電池であり、
当該一次電池から、前記センサおよび前記発光制御手段に給電を行うことを特徴とする避難誘導灯システム。
【請求項１４】
請求項１２において、
前記電池電源は、太陽電池と、この太陽電池によって充電される二次電池とを備えており、
前記二次電池から、前記センサおよび前記発光制御手段に給電を行うことを特徴とする避難誘導灯システム。
【請求項１５】
請求項１２において、
前記電池電源は一次電池であり、
さらに、前記センサおよび前記発光制御手段に給電を行う太陽電池を有していることを特徴とする避難誘導灯システム。
【請求項１６】
請求項１２において、
前記電池電源は一次電池であり、
さらに、前記センサおよび前記発光制御手段に給電を行う二次電池と、この二次電池を充電する太陽電池とを有していることを特徴とする避難誘導灯システム。
【発明の詳細な説明】
【０００１】
【発明の属する技術分野】
本発明は、地下街、地下道などにおける火災などの非常時に、人を避難路に沿って安全に避難口まで案内するための避難誘導灯システムに関するものである。
【０００２】
【従来の技術】
地下街や地下鉄通路内に設置されている誘導灯は、火災発生などによって煙が充満して視界が悪くなった場合に、人を避難口などの安全な場所に誘導するために設置されている。誘導灯の電源としては商用交流電源が用いられている。また、商用交流電源が遮断された非常時に蓄電池に切り替えて誘導灯を点灯するシステムも知られている。例えば次の特許文献１にかかる構成を備えた防災用照明装置が開示されている。
【０００３】
なお、本願人は、商用交流電源が埋設されていない場所、特に道路のトンネル内に設置するのに適した電池電源のみを備えた誘導灯システムを提案している（特許文献２）。
【０００４】
【特許文献１】
特開２００１−３３８７８４号公報
【特許文献２】
特願２００２−３３７４６３号
【０００５】
【発明が解決しようとする課題】
ここで、地下街や地下鉄通路などでは、予め定められた営業時間帯においてのみ地下街や地下鉄道路への出入り口が開き、利用者の通行が可能になるのが一般的である。従って、このような地下街や地下鉄道路などの通路壁面に設置されている誘導灯は、営業時間帯において発光可能なスタンバイ状態に切り替え、それ以外の時間帯はオフにしておくことが省電力化などの観点から望ましい。
【０００６】
本発明の課題は、この点に鑑みて、利用者の通行が一定の時間帯に限られている地下街や地下鉄通路などにおいて用いるの適した避難誘導灯システムを提案することにある。
【０００７】
【課題を解決するための手段】
上記の課題を解決するために、本発明の避難誘導灯システムは、災害時の避難経路に沿って配置されている複数の誘導灯と、前記誘導灯をオフ状態およびスタンバイ状態に切り替える無線通信器と、前記無線通信器からの信号を発信するための無線通信用アンテナ線とを有し、前記誘導灯は、光源ランプと、前記光源ランプに駆動電力を供給するための電池電源と、前記無線通信器からの信号を受信する受信回路と、前記誘導灯設置場所の照度が所定値以下になったこと、および／または前記誘導灯設置場所の煙濃度が所定値以上になったことを検知するセンサと、前記受信回路による受信信号および前記センサの検出結果に基づき前記光源ランプの発光制御を行う発光制御手段とを備えていることを特徴としている。
【０００８】
本発明では避難経路に沿って設置されている複数の誘導灯が無線通信により遠隔操作されて、オフ状態およびスタンバイ状態に切り替わる。従って、地下街などにおいて通行者が居る時間帯（営業時間帯）においてのみ、各誘導灯をスタンバイ状態に切り替えることができる。この結果、電池電源を備えた各誘導灯の省電力化を図ることができる。また、各誘導灯を有線により遠隔操作する場合のように、災害時などに断線によって遠隔操作が不能になるなどの弊害も起きない。さらには、有線式の場合には、各誘導灯に対して制御用の配線を引き回すことができない場所には誘導灯を設置できないという制約があるが、本発明によれば誘導灯の設置場所に制約がない。
【０００９】
ここで、地下街等においては照明設備や排水設備等が設置されている。従って、前記誘導灯が設置されている場所の近傍に引き回されている照明設備、排水設備等における配電用の電線ケーブルを前記無線通信用アンテナ線として利用することができる。このようにすれば、無線通信用アンテナ線を新たに設置する必要がないので、システムを廉価に構築できる。
【００１０】
また、地下街、地下鉄通路などでは、その営業時間帯の間は照明灯が点灯しており、それ以外の時間帯では消灯状態とされる。従って、無線による遠隔操作によって、前記誘導灯が設置されている領域を照明する照明灯の点灯時間帯（換言すると、避難誘導灯が必要な間）だけ、各誘導灯をスタンバイ状態に保持すればよい。
【００１１】
この場合、前記照明灯に対する電力供給制御を行なう照明スイッチがオンに切り替わると、前記無線通信器から、前記誘導灯をオフ状態からスタンバイ状態に切り替えるための起動信号を発信し、前記照明スイッチがオフに切り替わると、前記無線通信器から、前記誘導灯をスタンバイ状態からオフ状態に切り替えるための停止信号を発信するように構成すればよい。
【００１２】
また、前記無線通信器を、前記照明スイッチおよび、前記照明灯に電力を供給する前記電線ケーブルの間に接続された制御回路と、前記電線ケーブルに挿入された内蔵照明スイッチとを備えた構成とし、前記制御回路は、前記照明スイッチがオンに切り替わったことを検知すると、前記内蔵照明スイッチをオンに切り替えて前記照明灯への電力供給を開始すると共に、前記起動信号を発信させるようにすればよい。
【００１３】
一方、前記誘導灯では、前記起動信号を受信してオフ状態からスタンバイ状態に切り替わると、前記センサによる検知動作を開始するようにすればよい。
【００１４】
また、火災などが発生して照明が消えた場合や、煙が充満した場合に誘導灯を発光状態に切り替えるためには、前記スタンバイ状態において前記センサにより照度が所定値以下になったこと、および／または煙濃度が所定値以上になったことが検知されると、前記発光制御手段により前記光源ランプを発光状態に切り替えればよい。
【００１５】
複数の誘導灯を点灯させる場合には、前記誘導灯に、前記光源ランプが発光状態に切り替わると、その旨を表す信号を前記無線通信器に送信する送信回路を設け、前記無線通信器は、前記信号を受信すると、各誘導灯が避難方向に沿って順次に発光動作を行うように、各誘導灯を遠隔制御するように構成することが望ましい。このようにすると、避難者は複数の誘導灯によって避難方向が表示されるので、速やかに安全な場所に避難できる。
【００１６】
次に、各誘導灯の視認性を高めるためには、前記誘導灯に、前記光源ランプから射出される可視光成分のうち、波長の短い側から所定波長領域の光成分を除去する除去手段を設け、淡黄色、黄色あるいはオレンジ色などの光を発生させることが望ましい。
【００１７】
また、前記誘導灯の前記光源ランプは、フラッシュランプと白色発光ダイオードランプを備えたものを用いることが望ましい。この場合、前記誘導灯の前記発光制御手段により、前記フラッシュランプと前記白色発光ダイオードランプとを交互に発光させることが望ましい。フラッシュランプは高輝度であるので視認性を改善でき、フラッシュランプが発光していない期間に於いて補助的に白色発光ダイオードを発光させれば、誘導灯の位置を常に避難者に表示できる。
【００１８】
一方、本発明の誘導灯における前記電池電源としては、太陽電池、一次電池、二次電池のうち、少なくとも一つを含むものとすればよい。本発明の誘導灯は、商用交流電源が敷設されていない場所においても設置でき、設置場所に制約がない。また、地震、火災などにより商用交流電源が遮断された場合、即ち、誘導が必要な時に確実に点灯させることができる。
【００１９】
ここで、前記電池電源を一次電池とし、当該一次電池からの給電により、前記光源ランプと共に、前記センサおよび前記発光制御手段を駆動するように構成することができる。
【００２０】
この代わりに、前記電池電源を、太陽電池と、この太陽電池によって充電される二次電池とを備えたものとし、前記二次電池からの給電により、前記光源ランプと共に、前記センサおよび前記発光制御手段を駆動するように構成することもできる。
【００２１】
あるいは、前記電池電源を一次電池とし、前記センサおよび前記発光制御手段を駆動するために別個の電池電源、例えば太陽電池を備えた構成とすることもできる。これらセンサおよび発光制御手段の電源として、太陽電池によって充電される二次電池を備えた構成のものを用いることもできる。
【００２２】
【発明の実施の形態】
以下に、図面を参照して、本発明を適用した避難誘導灯システムの実施の形態を説明する。
【００２３】
（全体構成）
図１は本実施の形態に係る避難誘導灯システムを示す概略構成図である。避難誘導灯システム１は例えば地下街に設置されており、災害時の避難経路に沿って通路２の壁面２ａに一定の間隔で設置されている複数の誘導灯３と、無線遠隔操作により各誘導灯３をオフ状態およびスタンバイ状態に切り替える無線発信器４とを有している。各誘導灯３は通路２の床面２ｂから平均的な人の身長以下の高さ位置Ｈ、例えば１．５ｍ程度の高さの所に設置されている。また、各誘導灯３からの射出光Ｌの中心光軸Ｌａが水平方向よりも下方に僅かに傾斜した方向となるように、その指向性が設定されている。
【００２４】
通路２には照明設備が配置されており、照明設備は照明用配電盤１１と通路２の天井２ｃなどに取り付けられている複数の照明灯１３と、照明用配電盤１１から各照明灯１３に給電するために天井２ｃの裏面側に引き回されている電線ケーブル１４とを備えている。本実施の形態では、避難誘導灯システム１の無線発信器４が照明用配電盤１１に搭載されている。また、避難誘導灯システム１の無線発信器５の無線通信用アンテナ線として電線ケーブル１４が利用されている。
【００２５】
図２は照明用配電盤１１に搭載されている無線発信器４を示す概略ブロック図である。無線発信器４は、照明用配電盤１１に配列されている照明スイッチ１５と、誘電用の電線ケーブル１４の間に配置されている。この無線発信器４は、制御回路５と内蔵照明スイッチ６とを備えている。既設の照明配電盤１１の場合には、内蔵照明スイッチ６が本来の照明スイッチである。制御回路５の入力ポート５ａ、５ｂには照明スイッチ１５の各端がそれぞれ接続されている。制御回路５の出力ポート５ｃ、５ｄにはそれぞれ電線ケーブル１４の一対のライン１４ａおよび１４ｂが接続されている。一方のライン１４ａに内蔵照明スイッチ６が挿入されている。また、制御回路５の出力ポート５ｅからは所定の発信周波数の制御信号（起動信号および停止信号）が電線ケーブル１４を介して発信されるようになっている。
【００２６】
（誘導灯）
図３は、本例の誘導灯３を一部切り欠いた状態で示す斜視図であり、図４は誘導灯のカバーを取り外した状態での正面図、誘導灯の縦断面図、および誘導灯の概略横断面図である。誘導灯３は、取付板３２と、この取付板３２の表面３２ａに取り付けたプラスチック製のカバー３３と、取付板表面３２ａに取り付けられカバー３３によって覆われている光源ランプユニット３４とを有している。
【００２７】
光源ランプユニット３４は、鋼板などの板材から組み立てられているユニットケース３５を備えており、このユニットケース３５の上端部分には３枚のソーラーパネル３６が取り付けられている。また、ユニットケース３５の前面の下側部分には光源ランプ３７が取り付けられており、ユニットケース３５の内部には二次電池３８と、制御基板３９が配置されている。
【００２８】
本例のカバー３３は可視光に対して透明であり、照明灯１３の光がカバー３３を透過して内部のソーラーパネル３６の受光面に到達可能である。また、光源ランプユニット３４からの光がカバー３３を透過して外部に放出可能である。カバー３３は水平な底板部分３３１と、この底板部分３３１の前縁および左右の縁から上方に垂直に延びている垂直前板部分３３２および左右の垂直側板部分３３３、３３４と、垂直前板部分３３２の上端から４５度よりも急な傾斜角度で後退している傾斜前板部分３３５とを備えている。底板部分３３１、左右の垂直側板部分３３３、３３４、および傾斜前板部分３３５の後端縁は、Ｏリングなどのシール材４０を介して取付板表面３２ａに液密状態で固定されている。カバー３３を取付板表面３２ａに固定するために、カバー３３の左右の垂直側板部分３３３、３３４には側方に突出しているフランジ３３６、３３７が形成され、これらに固定ねじ（図示せず）をねじ込むためのタップ孔３３６ａ、３３７ａが形成されている。
【００２９】
光源ランプユニット３４の上端部分に取り付けられている３枚のソーラーパネル３６は、僅かに横長の長方形をしており、前側が下となるようにほぼ４５度の傾斜角度で設置されている。ソーラーパネル３６はカバー３３を介して、天井などに設置されている照明灯１３などの光を受けて発電を行う。ソーラーパネル３６で発生した電力は二次電池３８に蓄積される。
【００３０】
次に、本例の光源ランプユニット３４は、フラッシュランプ４１と、３個の白色発光ダイオードランプ５１、５２、５３と、これらの発光を制御する発光制御手段（図５参照）とを備えている。図４（ｂ）および（ｃ）から分かるように、フラッシュランプ４１はほぼ誘導灯１の幅方向の中央に配置されており、フラッシュランプ４１の右側に１個の白色発光ダイオードランプ５１が配置され、フラッシュランプ４１の左側に２個の白色発光ダイオードランプ５２、５３が配置されている。これらは同一高さ位置に配列されている。
【００３１】
フラッシュランプ４１は、気体放電電球４２と、リフレクタ４３と、電球４２の前面に配置されている前面カバー４４とを備えている（図４（ｂ）参照）。本例では、リフレクタ４３の反射面形状を適切に設定することにより、射出光の上下方向の発散角を所定角度以下となるようにして、射出光の上下方向の指向性を高めている。また、前面カバー４４には５００ｎｍ以下の可視光成分をカットするフィルタ４４ａが貼り付けられている。この代わりに同一の光学特性を備えたフィルタ層を垂直カバー４４の表面あるいは裏面にコーティングしてもよい。この結果、フラッシュランプ４１からの射出光は白色光ではなく、淡黄色、黄色あるいは淡いオレンジ色になる。
【００３２】
次に、図４（ｃ）に示すように、フラッシュランプ４１の右側に配置されている白色発光ダイオードランプ５１は、誘導灯前方に延びているフラッシュランプ１１の主光軸４１ａに対して右側に３０度傾斜した方向が射出光の光軸５１ａとなるように配置されている。また、本例の白色発光ダイオードランプ５１は発散角度が一般的なものよりも狭い２０度の狭角発光ダイオードを用いている。
【００３３】
フラッシュランプ４１の左側に配置されている白色発光ダイオードランプ５２は、誘導灯前方に向かう方向が射出光の光軸５２ａとなるように配置されている。これに対して、このランプ５２の左側に配置されている白色発光ダイオードランプ５３は、ランプ５２の光軸５２ａに対して左側に３０度傾斜した方向が射出光の光軸５３ａとなるように配置されている。これらの白色発光ダイオードランプ５２、５３も狭角発光ダイオードである。
【００３４】
図５は本例の誘導灯３の制御基板３９に作り込まれている制御回路部を示す概略ブロック図である。制御回路部６０は、照度検出部６１と、発光制御手段を構成しているスイッチング回路６２および発光制御回路６３と、受信回路６４とを備えている。照度検出部６１は、誘導灯３が設置されている場所の照度を検出するためのものであり、受光センサ６５および検出回路６６を備えている。検出回路６６では、受光センサ６５から得られる受光量を予め定めた基準受光量と比較し、基準受光量よりも検出された受光量が下回った場合、換言すると、照度が所定の照度レベルを下回った場合に、スイッチング信号をスイッチング回路６２に出力する。このスイッチング信号を受信すると、通常はオフ状態に保持されているスイッチング回路６２がオンに切り替わる。例えば、４０ルックス以下になるとスイッチング回路６２がオンに切り替わる。
【００３５】
本例では電池電源としてソーラーパネル（太陽電池）３６と、このソーラーパネル３６によって充電される二次電池３８とを備えている。前述のようにソーラーパネル３６は照明灯などの光を受光し、発生した起電力が二次電池３８に蓄えられる。この二次電池３８からスイッチング回路６２を経由して、照度検出部６１、スイッチング回路６２および光源ランプ３７（フラッシュランプ４１、白色発光ダイオード５１、５２、５３）に電力が供給される。
【００３６】
スイッチング回路６２がオフの状態では給電回路が遮断されているので、照度検出部６１による検出動作が行われず、また、光源ランプ３７は発光しない。受信回路６４のみがオン状態に保持される。この受信回路６４が無線発信器４から発信された起動信号を受信すると、スイッチング回路６２が切り替わり、照度検出部６１への給電が開始される。この結果、誘導灯３がオフ状態からスタンバイ状態に切り替わる。
【００３７】
スタンバイ状態において、誘導灯設置場所の照度が４０ルックス以下に低下すると、スイッチング回路６２が切り替わり、光源ランプ３７への給電回路が形成され、発光制御回路６３の制御の下に、光源ランプ３７が発光する。
【００３８】
スタンバイ状態において、受信回路６４が無線発信器４から発信された停止信号を受信すると、スイッチング回路６２が切り替わり、各部分への給電が停止されて、誘導灯３はオフ状態に切り替わる。
【００３９】
図６は、フラッシュランプ４１および３個の白色発光ダイオード５１、５２、５３の発光状態を示すタイミングチャートである。この図に示すように、本例では、図６（ａ）に示すように、フラッシュランプ４１は一定の間隔Ｔ１で０．１〜０．２ｍｓの短い閃光Ｌ（４１）を発生する（ストロボ発光する）。これに対して、３個の白色発光ダイオードランプ５１、５２、５３は、フラッシュランプ４１と交互に発光するように制御されている。本例の白色発光ダイオード５１〜５３は、オンオフのデューティ比が５０％で、ストロボ発光と同一の周期Ｔ１でオンオフ制御される。このようなフラッシュランプ４１、白色発光ダイオードランプ５１、５２、５３の発光制御が発光制御回路６３によって行われる。
【００４０】
（動作説明）
次に、図７は上記構成の避難誘導灯システム１の動作を示すタイミングチャートである。避難誘導灯システム１が設置されている地下街などの通路２の通行可能時間（地下街の営業時間）が時点Ｔ１から時点Ｔ６までであるとする。換言すると、照明設備の照明灯１３の点灯時間帯が時点Ｔ１からＴ６までであり、それ以外の時点が消灯時間帯であるとする。
【００４１】
通路２の通行可能時間（時点Ｔ１）になると、照明配電盤１１の照明スイッチ１５がオフ状態からオン状態に切り替わる。照明スイッチ１５の動作はタイマ駆動による自動式であってもよいし、監視員により手動で操作することも可能である。照明スイッチ１５がオンすると、無線発信器４の制御回路５により照明スイッチ１５のオンへの切り替わりが検知され、当該制御回路５は内蔵照明スイッチ６をオフからオンに切り替える。この結果、照明灯１３が点灯する。また、制御回路５は誘導灯３の制御信号として起動信号Ａを発生する（時点Ｔ２）。この起動信号Ａは電線ケーブル１４から発信され、各誘導灯３の受信回路６４によって受信される。
【００４２】
各誘導灯３では、照明灯１３が点灯することにより、ソーラーパネル３６による発電が開始され、二次電池３８への充電動作も開始される。各誘導灯３は起動信号Ａを受信すると（時点Ｔ３）、そのスイッチング回路６２によって、オフ状態からスタンバイ状態に切り替わる。この結果、照度検出部６１への給電が開始され、受光センサ６５による照度検出動作が開始される。
【００４３】
火災発生などの非常事態が発生しない限り、各誘導灯３はスタンバイ状態のまま保持される。消灯時間になると（時点Ｔ６）、照明配電盤１１の照明スイッチ１５がオフに切り替わる。無線発信器４はこの切り替わりを検知すると、内蔵照明スイッチ６をオフに切り替える。この結果、照明灯１３が消える。また、無線発信器４は誘導灯制御信号として停止信号Ｂを発生する。停止信号Ｂは電線ケーブル１４から発信して、各誘導灯３の受信回路６４により受信される。各誘導灯３の受信回路６４が停止信号Ｂを受信すると、スイッチング回路６２が切り替わり、誘導灯３はスタンバイ状態からオフ状態に切り替わり、受信回路６４のみがオン状態で、それ以外の回路部分はオフ状態になる（時点Ｔ７）。
【００４４】
しかるに、誘導灯３がスタンバイ状態において、火災などが発生して照度が所定レベル以下になると、誘導灯３の照度検出部６１からスイッチング回路６２に検出信号が出力される。例えば、図７（ｆ）、（ｇ）に示すように、電線ケーブル１４が切断等されて照明灯１３が消えた場合（時点Ｔ４）には、スイッチング回路６２が切り替わり、発光制御回路６３によって光源ランプ３７が発光状態に切り替わる。あるいは、図７（ｈ）、（ｉ）に示すように、通路２に煙が充満して光がさえぎられた状態になると、光源ランプ３７が発光状態に切り替わる（時点Ｔ５）。
【００４５】
以上説明したように、本実施の形態に係る避難誘導灯システム１においては、通路２の通行可能時間帯（営業時間帯、照明灯の点灯時間帯）において誘導灯３をスタンバイ状態に切り替えて、火災などの非常時に人を誘導することができる。すなわち、避難誘導が必要な時間帯のみ動作する。よって、避難誘導灯システム１の寿命を延ばすことができる。また、無線により各誘導灯３を遠隔操作しているので、配線の引き回しができない場所などにおいても誘導灯３を設置できるので、設置場所に制約がない。さらに、既存の照明設備の給電用の電線ケーブル１４を通信用のアンテナ線として利用しているので、アンテナ線を配置する必要がない。特に電線ケーブル１４は照明灯に設置場所に沿って引き回されているので、各誘導灯３の近傍に電線ケーブル１４が引き回されている場合が多い。よって、無線による遠隔操作を確実に行うことができる。
【００４６】
また、本例の誘導灯３は、照明灯等の光を受けて発電するソーラーパネル３６を備え、ソーラーパネル３６によって二次電池３８が充電される。よって、商用交流電源から給電を行う必要がないので、誘導灯３の設置場所に制約がない。また、断線により非常時に動作しないなどの弊害も起きない。
【００４７】
さらに、光源ランプ３７がフラッシュランプ４１と白色発光ダイオード５１〜５３との組合せからなっている。フラッシュランプ４１は一定の間隔、例えば２秒間隔でストロボ発光する。これに対して、３個の白色発光ダイオード５１〜５３は、ストロボ発光の間の期間においてオンとなるようにオンオフ制御される（図６参照）。フラッシュランプ４１は高輝度のストロボ発光を繰り返すので視認性が良い。また、フラッシュランプ４１が消えている期間は、補助光源としての３個の発光ダイオードランプ５１〜５３が発光する。よって、煙が充満した場合などにおいても、誘導灯３の視認性が極めて良好である。また、このように交互に発光させることにより、常時発光させる場合に比べて省電力化を実現できる。
【００４８】
また、前述のように、フラッシュランプ４１の前面カバー４４にはフィルタ４４ａが貼り付けられており、５００ｎｍ以下の可視光成分がカットされ、淡黄色、黄色あるいはオレンジ色の光が射出される。補助光源として３個のダイオードは白色発光ダイオードにすることにより煙の中での透過性が上がる。フラッシュランプとの組み合わせによる交互発光により、低輝度ながら色付きでなくても視認性に優れ避難者に誘導灯を直ちに認識させることができる。よって、低輝度でありながら視認性に優れた誘導灯を実現できる。
【００４９】
特に、火災などにより煙が充満した状況において、誘導灯以外の照明灯や広告灯などが点灯している場合には、これらの光も、煙に乱反射して白色に見えるので、誘導灯がいずれであるのかを区別することが困難になる。しかし、本例では、可視光成分のうち波長の短い側の帯域成分をカットした光を誘導灯３から発光させているので、淡い色付きの光を射出でき、他の光源と区別することが容易である。よって、避難口など安全な場所への避難を迅速に行うことができる。
【００５０】
さらに、本例では、図１（ｂ）に示すように、人Ｐの背丈よりも低い高さ位置に誘導灯３を設置してあり、しかも、フラッシュランプ４１からの射出光（ストロボ発光）Ｌ（４１）を僅かに下方向に向かうように指向性を持たせてある。従って、誘導灯３の光が、避難する人Ｐの視野に入り易い。このように、本例では、誘導灯３が認識し易い状態となっているので、避難を迅速に行うことができる。
【００５１】
なお、本例の誘導灯３は受光センサ６５を備えているが、この代わりに、あるいはこれと共に、煙感知センサを備えていてもよい。この場合には、煙濃度が所定値以上になると、スイッチング回路６２が切り替わり、光源ランプ３７が発光状態に切り替わる。
【００５２】
（その他の実施の形態）
上記の避難誘導灯システム１では、無線発信器４の通信用アンテナ線として、既設の照明灯への給電用の電線ケーブル１４を利用している。地下街や地下鉄通路においては、排水設備が設置されている場合がある。この場合には、図８（ａ）に示すように、排水用の動力ポンプ７１に電力を供給するためにポンプ用電源７３から引き出されているポンプ用の電線ケーブル７２を通信用アンテナ線として利用することができる。なお、電線ケーブル１４、７２が設置されていない場合には、図８（ｂ）に示すように、専用の通信用アンテナ線７４を天井面などに沿って引き回せばよい。
【００５３】
次に、上記の例では、無線発信器４を備え、各誘導灯３には受信回路６４が搭載されている。無線発信器４の代わりに送受信を行うことのできる無線通信器を配置し、各誘導灯３には送受信回路を搭載した構成を採用することもできる。
【００５４】
例えば、図９に示すように、非常口９１に沿って複数の誘導灯３−１、３−２、３−３・・・が設置されている場合に、一つの誘導灯、例えば誘導灯３−２が発光状態に切り替わった時に、その旨を誘導灯３−２に搭載されている送受信回路９２から照明配電盤１１に設置されている無線通信器９３に送信することができる。無線通信器９３では、当該信号を受信すると、誘導灯３−１、３−２、３−３・・・が非常口９１に向けて順番に発光するように、各誘導灯を無線により遠隔制御することができる。このようにすれば、避難する人は避難方向が分かるので、安全な方向に向けて速やかに避難することができる。
【００５５】
一方、図１０に示すように、地下街や地下道における照明設備が複数にブロック化されている場合には、各ブロック１０１、１０２、１０３・・・毎に、例えば、図１に示す避難誘導灯システム１を設置すればよい。
【００５６】
なお、本発明における誘導灯３の電池電源としては、図１１、１２、１３の構成のものを採用することもできる。図１１では、電池電源として一次電池１１１のみを備えている。誘導灯３がスタンバイ状態においては、一次電池１１１から照度検出部６１に対しては常に給電されている。しかるに、光源ランプ３７に対しては、スイッチング回路６２がオンに切り替わった場合にのみ一次電池１１１から電力が供給されるようになっている。
【００５７】
図１２に示す電池電源は、ランプ駆動用の一次電池１１１と、照度検出部６１およびスイッチング回路６２を駆動するための太陽電池３６とを備えている。一次電池１１１はランプ駆動にのみ消費されるので、当該一次電池の交換周期を長くできる。
【００５８】
図１３に示す電池電源は、ランプ駆動用の一次電池１１１を備えていると共に、照度検出部６１およびスイッチング回路６２を駆動するための太陽電池３６および二次電池３８とを備えている。太陽電池３６の太陽光受光面は照明灯や広告灯などの光を受光可能な場所に設置され、そこで発生する起電力が二次電池３８に蓄えられ、この二次電池３８から照度検出部６１およびスイッチング回路６２に電力が供給される。
【００５９】
【発明の効果】
以上説明したように、本発明の避難誘導灯システムは、無線による遠隔操作により避難経路に沿って配置されている電池駆動式の各誘導灯を制御している。従って、有線による遠隔制御の場合にような誘導灯の設置場所に制約があるといった弊害や、火災発生時に配線が切断されて誘導灯が動作しないといった弊害を回避できる。
【００６０】
また、無線通信用のアンテナ線として、既設の照明設備の給電用の電線ケーブルや排水設備等における排水ポンプへの給電用の電線ケーブルを利用している。よって、避難誘導灯システムの設置が容易であり、また、低コストで設置できる。
【００６１】
さらに、地下街などにおける営業時間帯、換言すると、人に非難誘導が必要な時間帯のみ誘導灯をスタンバイ状態にし、それ以外の時間帯では誘導灯をオフ状態に切り替えるようにしている。従って、必要な時間帯のみ動作する寿命の長いシステムを構築できる。
【図面の簡単な説明】
【図１】本発明を適用した避難誘導灯システムを示す概略構成図である。
【図２】図１の無線発信器の部分を示す概略ブロック図である。
【図３】図１の誘導灯を一部切り取った状態で示す斜視図である。
【図４】（ａ）は図３の誘導灯をカバーを取った状態で示す正面図、（ｂ）は図３の誘導灯の縦断面図、および（ｃ）は図３の誘導灯の主要部分を示す概略横断面図である。
【図５】図３の誘導灯の制御回路を示す概略ブロック図である。
【図６】図３の誘導灯の光源ランプの発光動作を示すタイミングチャートである。
【図７】図１の避難誘導灯システムの動作を示すタイミングチャートである。
【図８】図１の避難誘導灯システムの別の例を示す概略構成図である。
【図９】図１の避難誘導灯システムの更に別の例を示す概略構成図である。
【図１０】図１の避難誘導灯システムの別の例を示す概略構成図である。
【図１１】図３の誘導灯の電力供給系の別の例を示す概略ブロック図である。
【図１２】図３の誘導灯の電力供給系の別の例を示す概略ブロック図である。
【図１３】図３の誘導灯の電力供給系の別の例を示す概略ブロック図である。
【符号の説明】
１    避難誘導灯システム
２    通路
２ａ  壁面
２ｂ  天井
２ｃ  床面
３    誘導灯
４    無線発信器
５    制御回路
１１  照明配線盤
１３  照明灯
１４  電線ケーブル（通信用アンテナ線）
１５  照明スイッチ
１６  内蔵照明スイッチ
３１  誘導灯
３２  取付板
３３  カバー
３４  光源ランプユニット
３５  ユニットケース
３６  ソーラーパネル
３７  光源ランプ
３８  二次電池
４１  フラッシュランプ
４１ａ  主光軸
４２  電球
４３  リフレクタ
４４  前面カバー
４４ａ  光学フィルタ
５１、５２、５３  白色発光ダイオードランプ
５１ａ〜５３ａ  光軸
６１  照度検出部
６２  スイッチング回路
６３  発光制御回路
６４  受信回路
【図１】
2004302974.tif 000003
【図２】
2004302974.tif 000004
【図３】
2004302974.tif 000005
【図４】
2004302974.tif 000006
【図５】
2004302974.tif 000007
【図６】
2004302974.tif 000008
【図７】
2004302974.tif 000009
【図８】
2004302974.tif 000010
【図９】
2004302974.tif 000011
【図１０】
2004302974.tif 000012
【図１１】
2004302974.tif 000013
【図１２】
2004302974.tif 000014
【図１３】
2004302974.tif 000015